【手続補正書】
【提出日】平成16年12月16日(2004.12.16)
【手続補正１】
【補正対象書類名】明細書
【補正対象項目名】発明の名称
【補正方法】変更
【補正の内容】
【発明の名称】通信端末装置
【手続補正２】
【補正対象書類名】明細書
【補正対象項目名】特許請求の範囲
【補正方法】変更
【補正の内容】
【特許請求の範囲】
【請求項１】
撮影機能を有し、第１筐体と第２筐体とが折畳自在に連結された通信端末装置であって、
前記第１筐体と第２筐体が折畳状態にあるか否かを検出する検出手段と、
折畳状態において露出する当該第１筐体の第１面に、撮影用のレンズと、
少なくとも撮影された像の鏡像を表示する、当該レンズと同一視野内で視認可能な第１表示器と、
折畳状態において隠蔽される当該第１筐体の第２面に、撮影された像を表示する第２表示器と、
当該第２筐体の側面に配置された第１シャッターボタンと、
折畳状態において隠蔽される当該第２筐体の第１面に配置された第２シャッターボタンと、
撮影準備指示を受け付ける撮影準備指示受付手段とを備え、
当該撮影準備指示を受け付けた場合、折畳状態にないと検出されている間、撮影された像の非鏡像を前記第２表示器に表示し、当該第２シャッターボタンが押されると、撮影した像の非鏡像を前記第２表示器に表示する一方、折畳状態にあると検出されている間、撮影された像の鏡像を前記第１表示器に表示し、当該第１シャッターボタンが押されると、撮影した像の鏡像を前記第１表示器に表示すると共に、その後、折畳状態にないと検出された状態で、前記撮影した像を前記第２表示器に表示する場合、前記撮影した像の非鏡像を表示すること、
を特徴とする通信端末装置。
【請求項２】
請求項１に記載の通信端末装置において、
前記レンズは、前記第１表示器を幅方向に略２等分する線上に配置されており、
当該撮影準備指示を受け付けた場合、折畳状態にあると検出されている間、撮影された像又はその鏡像を前記第１表示器に表示すること、
を特徴とする通信端末装置。
【請求項３】
請求項１又は請求項２に記載の通信端末装置において、
前記レンズ及び前記第１表示器は、何れも前記第１面の幅方向の略中央に配置されていること、
を特徴とする通信端末装置。
【請求項４】
請求項１乃至請求項３のいずれかに記載の通信端末装置において、
折畳状態において露出する前記第２筐体の第３面から、電池が着脱自在に構成されていること、
を特徴とする通信端末装置。
【請求項５】
撮影機能を有し、第１筐体と第２筐体とが折畳自在に連結された通信端末装置であって、
前記第１筐体と第２筐体が折畳状態にあるか否かを検出する検出手段と、
折畳状態において露出する当該第１筐体の第１面に、撮影用のレンズと、
少なくとも撮影された像の鏡像を表示する、当該レンズと同一視野内で視認可能な第１表示器と、
折畳状態において隠蔽される当該第１筐体の第２面に、撮影された像を表示する第２表示器と、
折畳状態において露出するシャッターボタンと、
撮影準備指示を受け付ける撮影準備指示受付手段とを備え、
当該撮影準備指示を受け付けた場合、折畳状態にあると検出されている間、撮影された像の鏡像を前記第１表示器に表示し、当該第１シャッターボタンが押されると、撮影した像の鏡像を前記第１表示器に表示すると共に、その後、折畳状態にないと検出された状態で、前記撮影した像を前記第２表示器に表示する場合、前記撮影した像の非鏡像を表示すること、
を特徴とする通信端末装置。
【手続補正３】
【補正対象書類名】明細書
【補正対象項目名】００１０
【補正方法】変更
【補正の内容】
【００１０】
【課題を解決するための手段】請求項１に係る本発明の通信端末装置は、撮影機能を有し、第１筐体と第２筐体とが折畳自在に連結された通信端末装置であって、前記第１筐体と第２筐体が折畳状態にあるか否かを検出する検出手段と、折畳状態において露出する当該第１筐体の第１面に、撮影用のレンズと、少なくとも撮影された像の鏡像を表示する、当該レンズと同一視野内で視認可能な第１表示器と、折畳状態において隠蔽される当該第１筐体の第２面に、撮影された像を表示する第２表示器と、当該第２筐体の側面に配置された第１シャッターボタンと、折畳状態において隠蔽される当該第２筐体の第１面に配置された第２シャッターボタンと、撮影準備指示を受け付ける撮影準備指示受付手段とを備え、当該撮影準備指示を受け付けた場合、折畳状態にないと検出されている間、撮影された像の非鏡像を前記第２表示器に表示し、当該第２シャッターボタンが押されると、撮影した像の非鏡像を前記第２表示器に表示する一方、折畳状態にあると検出されている間、撮影された像の鏡像を前記第１表示器に表示し、当該第１シャッターボタンが押されると、撮影した像の鏡像を前記第１表示器に表示すると共に、その後、折畳状態にないと検出された状態で、前記撮影した像を前記第２表示器に表示する場合、前記撮影した像の非鏡像を表示することを特徴とする。
【手続補正４】
【補正対象書類名】明細書
【補正対象項目名】００１１
【補正方法】変更
【補正の内容】
【００１１】
請求項２に係る本発明の通信端末装置は、請求項１に記載の通信端末装置において、前記レンズは、前記第１表示器を幅方向に略２等分する線上に配置されており、当該撮影準備指示を受け付けた場合、折畳状態にあると検出されている間、撮影された像又はその鏡像を前記第１表示器に表示すること、を特徴とする。
【手続補正５】
【補正対象書類名】明細書
【補正対象項目名】００１２
【補正方法】変更
【補正の内容】
【００１２】
請求項３に係る本発明の通信端末装置は、請求項１又は請求項２に記載の通信端末装置において、前記レンズ及び前記第１表示器は、何れも前記第１面の幅方向の略中央に配置されていること、を特徴とする。
【手続補正６】
【補正対象書類名】明細書
【補正対象項目名】００１３
【補正方法】変更
【補正の内容】
【００１３】
請求項４に係る本発明の通信端末装置は、請求項１乃至請求項３のいずれかに記載の通信端末装置において、折畳状態において露出する前記第２筐体の第３面から、電池が着脱自在に構成されていること、
を特徴とする。
【手続補正７】
【補正対象書類名】明細書
【補正対象項目名】００１４
【補正方法】変更
【補正の内容】
【００１４】
請求項５に係る本発明の通信端末装置は、撮影機能を有し、第１筐体と第２筐体とが折畳自在に連結された通信端末装置であって、前記第１筐体と第２筐体が折畳状態にあるか否かを検出する検出手段と、折畳状態において露出する当該第１筐体の第１面に、撮影用のレンズと、少なくとも撮影された像の鏡像を表示する、当該レンズと同一視野内で視認可能な第１表示器と、折畳状態において隠蔽される当該第１筐体の第２面に、撮影された像を表示する第２表示器と、折畳状態において露出するシャッターボタンと、撮影準備指示を受け付ける撮影準備指示受付手段とを備え、当該撮影準備指示を受け付けた場合、折畳状態にあると検出されている間、撮影された像の鏡像を前記第１表示器に表示し、当該第１シャッターボタンが押されると、撮影した像の鏡像を前記第１表示器に表示すると共に、その後、折畳状態にないと検出された状態で、前記撮影した像を前記第２表示器に表示する場合、前記撮影した像の非鏡像を表示すること、を特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】